(57)【要約】      （修正有）【課題】簡単に包装することができ、外観を向上させることができる花用包装具を提供する。【解決手段】包装具２０は、鉢花１０を包装するものであり、支柱２２と、支柱２２に支持され、支柱２２の両側に延在する可撓性のシート２４とを有している。シート２４の両端部には、互いに嵌合される突部２６及び孔部２８が設けられており、シート２４は、突部２６及び孔部２８が互いに嵌合された状態において支柱２２の一端側から視てハート形をなす。【選択図】図１
0003206422.tif 000002
【実用新案登録請求の範囲】
【請求項１】
鉢花または切り花を包装する包装具であって、
支柱と、
前記支柱に支持され、前記支柱の両側に延在する可撓性のシートと、を有しており、
前記シートの両端部には、互いに係合される係合部が設けられており、
前記シートは、前記係合部が互いに係合された状態において前記支柱の一端側から視てハート形をなす、
花用包装具。
【請求項２】
前記シートはメッシュ状をなしている、
請求項１に記載の花用包装具。
【請求項３】
鉢花と、
請求項１または請求項２に記載の花用包装具と、を備えており、
鉢内の土には前記支柱が突き刺されており、
前記シートにより前記鉢花の植物の外周が囲まれた状態にて前記係合部が互いに係合されている、
包装鉢花。
【請求項４】
切り花と、
請求項１または請求項２に記載の花用包装具と、を備えており、
前記支柱が前記切り花の茎に沿って配置され、
前記シートにより前記切り花における複数の花冠からなる花冠群の外周が囲まれた状態にて前記係合部が互いに係合されている、
包装切り花。
【考案の詳細な説明】
【技術分野】
【０００１】
本考案は、鉢花または切り花を包装する包装具、同包装具により包装された鉢花、及び同包装具により包装された切り花に関する。
【背景技術】
【０００２】
従来、鉢花や切り花はフィルムなどの包装具により包装された状態で販売されたり、配送されたりする。
ところで、例えば従来の包装具により包装された鉢花においては、配送途中に受ける衝撃などにより鉢花の植物の外観が変わってしまい、商品性が低下するおそれがある。
【０００３】
これに対して、特許文献１に記載の包装パックは、プラスチックフィルムからなり、水平底部と、その外周を溶着接合により囲み他端を密封した適宜長さのプラスチックフィルムの筒状体とを備えている。筒状体の他端には、把持部が設けられている。そして、包装パックの内部にエアーを封入して鉢花が密封包装される。このため、エアークッション作用により衝撃から植物が保護される。
【先行技術文献】
【特許文献】
【０００４】
【特許文献１】実開平４−４５２８６号公報
【考案の概要】
【考案が解決しようとする課題】
【０００５】
ところで、特許文献１に記載の包装パック及び同包装パックにより包装された鉢花の場合には、包装パックの内部に鉢花を入れる工程と、エアーを封入する工程とが必要となるため、鉢花の包装作業が煩雑になる。また、エアークッション作用を発揮させる目的から、鉢花の植物、特に複数の花冠からなる花冠群の外周形状を包装パックによって整形することができない。そのため、鉢花の外観を向上させる上で改善の余地を残すものとなっている。
【０００６】
なお、こうした問題は、鉢花を包装する包装具や同包装具により包装された鉢花に限られるものではなく、切り花を包装する包装具や同包装具により包装された切り花においても同様にして生じる。
【０００７】
本考案の目的は、簡単に包装することができ、外観を向上させることのできる鉢花用包装具を提供することにある。
【課題を解決するための手段】
【０００８】
請求項１に係る考案は、鉢花または切り花を包装する包装具であって、支柱と、前記支柱に支持され、前記支柱の両側に延在する可撓性のシートとを有しており、前記シートの両端部には、互いに係合される係合部が設けられており、前記シートは、前記係合部が互いに係合された状態において前記支柱の一端側から視てハート形をなすことを特徴とする。
【０００９】
同構成によれば、シートにより鉢花や切り花における複数の花冠からなる花冠群の外周が囲まれた状態にて係合部を互いに係合すると、シートが支柱を起点として撓むことで支柱の一端側から視てハート形をなす。これにより、花冠群の外周形状がハート形に整形される。このため、花冠群の外周形状を商品性の高いハート形状に整形しつつ包装することができる。鉢花の場合には、支柱が鉢内の土に突き刺されることにより、鉢花に対する包装具の位置決めがなされる。また、切り花の場合には、支柱が切り花の茎に沿って配置されることにより、支柱と茎とが持ち手となるとともに、切り花に対する包装具の位置決めがなされる。このため、シートによる包装状態、すなわち花冠群の外周形状の整形状態が安定して保持される。よって、簡単に包装することができ、外観を向上させることができる。
【００１０】
請求項２に係る考案は、請求項１に記載の花用包装具において、前記シートはメッシュ状をなしていることを特徴とする。
同構成によれば、シートの通気性及び透水性が確保される。このため、シートにより囲まれることにより鉢花や切り花が過度に蒸れた状態になることを回避できる。
【００１１】
請求項３に係る考案は、鉢花と、請求項１または請求項２に記載の花用包装具と、を備えており、鉢内の土には前記支柱が突き刺されており、前記シートにより前記鉢花の植物の外周が囲まれた状態にて前記係合部が互いに係合されていることを特徴とする。
【００１２】
同構成によれば、請求項１に記載の考案と同様な作用を奏することにより、鉢花を簡単に包装することができ、鉢花の外観を向上させることができる。
請求項４に記載の考案は、切り花と、請求項１または請求項２に記載の花用包装具と、を備えており、前記支柱が前記切り花の茎に沿って配置され、前記シートにより前記切り花における複数の花冠からなる花冠群の外周が囲まれた状態にて前記係合部が互いに係合されていることを特徴とする。
【００１３】
同構成によれば、請求項１に記載の考案と同様な効果を奏することにより、切り花を簡単に包装することができ、切り花の外観を向上させることができる。
【考案の効果】
【００１４】
本考案によれば、簡単に包装することができ、外観を向上させることができる。
【図面の簡単な説明】
【００１５】
【図１】花用包装具の一実施形態について、同包装具により包装された鉢花を示す斜視図。
【図２】展開状態における包装具を示す正面図。
【図３】（ａ），（ｂ）は、鉢花に対して包装具を取り付ける手順を示す斜視図。
【図４】同実施形態の包装具により包装された切り花を示す斜視図。
【考案を実施するための形態】
【００１６】
以下、図１〜図４を参照して、一実施形態について説明する。
まず、図１〜図３を参照して、包装鉢花について説明する。
図１に示すように、包装鉢花は、鉢花１０と、鉢花１０を包装する包装具２０とを備えている。
【００１７】
鉢花１０は、鉢１２と、鉢１２内の土１４に植えられた花植物１６とからなる。花植物１６は、多数の花冠からなる花冠群１８を有するミニバラである。なお、花植物１６は、花冠群１８を有していればミニバラ以外のものでもよく、カーネーションや、ベゴニア、シクラメンなどであってもよい。また、鉢花１０は、鉢１２内の土１４に複数種類の花植物１６が植えられた寄せ植えタイプのものであってもよい。
【００１８】
図１及び図２に示すように、包装具２０は、支柱２２と、支柱２２に支持されたシート２４とを有している。
支柱２２は、例えば合成樹脂材料により形成されており、鉢１２内の土１４に突き刺し可能な剛性を有している。本実施形態の支柱２２は、断面Ｈ字状をなしている。なお、支柱２２は四角柱状をなすものであってもよいし、円柱状や円筒状をなすものであってもよい。また、支柱２２を金属材料により形成することもできる。
【００１９】
図２に示すように、支柱２２の下端部は、先細状をなしている。
シート２４は、例えばポリエチレンなどの合成樹脂材料により形成されており、メッシュ状をなすとともに可撓性を有している。本実施形態のシート２４は、いわゆる鉢底ネットとして用いられるシート材によって形成されている。
【００２０】
シート２４は、支柱２２の両側（同図の右側及び左側）にそれぞれ延在している。本実施形態のシート２４は、左右対称の形状をなしており、それぞれ左右方向の外側ほど下側に位置する略円弧状をなしている。また、シート２４は、左右方向の中央部にて接着剤を介して支柱２２の上端部に接合されている。シート２４の両端縁は、支柱２２の長手方向に直交して直線状に延在している。
【００２１】
シート２４の一端部には、一対の突部２６が互いに間隔をおいて設けられている。また、シート２４の他端部には、上記一対の突部２６にスナップフィットにより嵌合される一対の孔部２８が設けられている。突部２６及び孔部２８はシート２４よりも硬質の樹脂材料により形成されている。なお、突部２６及び孔部２８をそれぞれ１つ設けることもできるし、それぞれ３つ以上設けることもできる。
【００２２】
図１に示すように、鉢１２内の土１４に支柱２２が突き刺されており、シート２４により花冠群１８の外周が囲まれた状態において、一対の突部２６が一対の孔部２８にそれぞれ嵌合されている。この状態において、シート２４は支柱２２を起点として撓むことで支柱２２の上端側から視てハート形をなしている。
【００２３】
次に、図４を参照して、包装切り花について説明する。
図４に示すように、包装切り花は、切り花３０と、切り花３０を包装する包装具２０とを備えている。この包装具２０は、上記包装鉢花の包装具２０と同一の構成を有している。
【００２４】
切り花３０の複数の茎３７が束ねられ、これらの茎３７に沿って支柱２２が配置された状態において、一対の突部２６が一対の孔部２８にそれぞれ嵌合されている。この状態において、シート２４は支柱２２を起点として撓むことで支柱２２の上端側から視てハート形をなしている。
【００２５】
次に、図３を参照して、鉢花１０に対して包装具２０を取り付ける手順及び本実施形態の作用について説明する。
まず、図３（ａ）に示すように、展開状態の包装具２０の支柱２２の下端部を鉢１２内の土１４に対して突き刺す。このとき、シート２４よりも手前側に花植物１６の全体が位置するように支柱２２の突き刺し場所を設定する。
【００２６】
続いて、図３（ｂ）に矢印にて示すように、シート２４により花冠群１８の外周を囲むとともに、シート２４の両端部にそれぞれ設けられた一対の突部２６を一対の孔部２８に嵌合させる。これにより、図１に示すように、シート２４が支柱２２を起点として撓むことでハート形をなすとともに、花冠群１８の外周形状がハート形に整形される。
【００２７】
なお、切り花３０に対して包装具２０を取り付ける手順については説明を省略する。
以上説明した本実施形態に係る鉢花用包装具によれば、以下に示す作用効果が得られるようになる。
【００２８】
（１）包装具２０は、鉢花１０または切り花３０を包装するものであり、支柱２２と、支柱２２に支持され、支柱２２の両側に延在する可撓性のシート２４とを有している。シート２４の両端部には、互いに嵌合される突部２６及び孔部２８が設けられている。シート２４は、突部２６及び孔部２８が互いに嵌合された状態において支柱２２の上端側から視てハート形をなす。
【００２９】
こうした構成によれば、上記作用を奏することにより、花冠群１８の外周形状を商品性の高いハート形状に整形しつつ包装することができる。よって、鉢花１０や切り花３０を包装具２０により簡単に包装することができ、外観を向上させることができる。
【００３０】
（２）支柱２２が鉢１２内の土１４に突き刺されている。このため、鉢花１０に対する包装具２０の位置決めがなされる。したがって、シート２４による包装状態、すなわち花冠群１８の外周形状の整形状態が安定して保持される。
【００３１】
（３）シート２４はメッシュ状をなしている。このため、シート２４の通気性及び透水性が確保される。このため、シート２４により囲まれることにより鉢花１０や切り花３０が過度に蒸れた状態になることを回避できる。
【００３２】
（４）支柱２２の下端部が先細状をなしている。このため、支柱２２を土１４に容易に突き刺すことができる。
（５）支柱２２が切り花３０の茎３７に沿って配置されている。このため、支柱２２と茎３７とが持ち手となるとともに、切り花３０に対する包装具２０の位置決めがなされる。したがって、シート２４による包装状態、すなわち花冠群３８の外周形状の整形状態が安定して保持される。
【００３３】
＜変形例＞
なお、上記実施形態は、例えば以下のように変更することもできる。
・支柱２２の断面形状が長手方向において一定とされるものであってもよい。
【００３４】
・本考案に係る係合部の構成は、上記実施形態及び変形例において例示したようなスナップフィットにより互いに嵌合される突部２６及び孔部２８に限定されない。例えば、爪部と孔部とによって係合部を構成することもできる。また、面ファスナーによって係合部を構成することができる。また、粘着シールによって係合部を構成することもできる。
【００３５】
・シート２４はメッシュ状をなすものに限定されない。例えば円形状などの多数の孔が形成されたシートであってもよい。また、こうした孔を有していない、すなわち通気性のないシートであってもよい。
【符号の説明】
【００３６】
１０…鉢花、１２…鉢、１４…土、１６…花植物、１８…花冠群、２０…包装具、２２…支柱、２４…シート、２６…突部（係合部）、２８…孔部（係合部）、３０…切り花、３３７…茎、３８…花冠群。
【図１】
0003206422.tif 000003
【図２】
0003206422.tif 000004
【図３】
0003206422.tif 000005
【図４】
0003206422.tif 000006